(57)【要約】【課題】顧客側の端末に表示する画像を条件により変化させることにより、顧客がデザインの確認が確実にでき、且つ、顧客がダウンロードしプリントアウトしてもデザイン作業により作成されたそのままの画像を得られないようにすることが可能な画像編集サービスシステム及び画面情報生成方法を提供することにある。【解決手段】格納された画像情報に基づく第１の画像を表示するための画像表示枠を備えるとともに第１の画像の表示条件を入力可能に表示する画面情報をユーザ端末の表示画面に表示可能に生成するとともに、ユーザ端末から入力される表示条件に基づいて、第１の画像の上に第２の画像を部分的に重ねて表示する画面情報生成手段を備えることを特徴とする。【選択図】      図８
2004304450.tif 000002
【特許請求の範囲】
【請求項１】
ネットワークと、
前記ネットワークに接続されたサーバーと、
前記ネットワークに接続され、デザインの注文を行うためのユーザ端末と、
前記ネットワークに接続され、前記サーバーを介して前記注文を受け付け、前記注文に基づき画像編集作業の発注を行うための管理者端末と、
前記ネットワークに接続され、前記発注に基づき画像編集を行い画像情報を作成するための作業者端末と、を含む画像編集サービスシステムであって、
前記サーバーは、
前記作業者端末から送信される前記画像情報を格納するデータベースと、
前記格納された前記画像情報に基づく第１の画像を表示するための画像表示枠を備えるとともに前記第１の画像の表示条件を入力可能に表示する画面情報を前記ユーザ端末の表示画面に表示可能に生成するとともに、前記ユーザ端末から入力される前記表示条件に基づいて、前記第１の画像に第２の画像を部分的に重ねて表示する画面情報生成手段を備えることを特徴とする画像編集サービスシステム。
【請求項２】
ネットワークと、
前記ネットワークに接続されたサーバーと、
前記ネットワークに接続され、デザインの注文を行うためのユーザ端末と、
前記ネットワークに接続され、前記サーバーを介して前記注文を受け付け、前記注文に基づき画像編集作業の発注を行うための管理者端末と、
前記ネットワークに接続され、前記発注に基づき画像編集を行い画像情報を作成するための作業者端末と、を含む画像編集サービスシステムであって、
前記サーバーは、
前記作業者端末から送信される前記画像情報を格納するデータベースと、
前記格納された前記画像情報に基づく第１の画像を表示するための画像表示枠を備えるとともに前記第１の画像を全体表示または部分表示のいずれかの選択を入力可能に表示する画面情報を前記ユーザ端末の表示画面に表示可能に生成するとともに、前記ユーザ端末によって前記全体表示が選択された場合には前記第１の画像の上に第２の画像を部分的に重ねて表示し、前記ユーザ端末によって前記部分表示が選択された場合には前記第１の画像の一部分を表示する画面情報生成手段を備えることを特徴とする画像編集サービスシステム。
【請求項３】
前記画面情報生成手段は、前記画面情報に、更に前記ユーザ端末によって前記部分表示が選択された場合の前記第１の画像の表示部分を変更するためのソフトキーを備え、前記ユーザ端末による前記ソフトキーを用いた入力に応じて前記画面情報を更新し前記第１の画像の表示部分を変更して表示する請求項２に記載の画像編集サービスシステム。
【請求項４】
ネットワークと、
前記ネットワークに接続されたサーバーと、
前記ネットワークに接続され、デザインの注文を行うためのユーザ端末と、
前記ネットワークに接続され、前記サーバーを介して前記注文を受け付け、前記注文に基づき画像編集作業の発注を行うための管理者端末と、
前記ネットワークに接続され、前記発注に基づき画像編集を行い画像情報を作成するための作業者端末と、を含む画像編集サービスシステムであって、
前記サーバーは、
前記作業者端末から送信される前記画像情報を格納するデータベースと、
前記格納された前記画像情報に基づく第１の画像を表示するための表示可能な画像表示枠を備えるとともに前記第１の画像を全体表示または部分表示若しくは前記第１の画像を構成する画素数との組み合わせのいずれかの選択を入力可能に表示する画面情報を前記ユーザ端末の表示画面に表示可能に生成するとともに、前記ユーザ端末によって前記全体表示が選択され且つ前記第１の画像を構成する画素数が所定画素数以上の場合には前記第１の画像に第２の画像を部分的に重ねて表示し、前全体表示が選択され且つ前記第１の画像を構成する画素数が所定画素数より少ない場合には、前記第１の画像を表示し、前記部分表示が選択された場合には前記第１の画像の一部分を表示する画面情報生成手段を備えることを特徴とする画像編集サービスシステム。
【請求項５】
前記所定画素数は、目的の大きさに印刷するときに所定の解像度以上の画像が得られる画素数である請求項４に記載の画像編集サービスシステム。
【請求項６】
前記画面情報生成手段は、前記画面情報に、更に前記ユーザ端末によって前記部分表示が選択された場合の前記第１の画像の表示部分を変更するためのソフトキーを備え、前記ユーザ端末による前記ソフトキーを用いた入力に応じて前記画面情報を更新し前記第１の画像の表示部分を変更して表示する請求項４または請求項５に記載の画像編集サービスシステム。
【請求項７】
前記画面情報生成手段は、前記画面情報に、更に前記第２の画像の複数の表示状態を選択可能に表示し、選択される前記表示状態に基づいて前記第２の画像を重ねて表示する請求項１乃至請求項６のいずれかに記載の画像編集サービスシステム。
【請求項８】
ネットワークと、
前記ネットワークに接続されたサーバーと、
前記ネットワークに接続され、デザインの注文を行うためのユーザ端末と、
前記ネットワークに接続され、前記サーバーを介して前記注文を受け付け、前記注文に基づき画像編集作業の発注を行うための管理者端末と、
前記ネットワークに接続され、前記発注に基づき画像編集を行い画像情報を作成するための作業者端末と、を含む画像編集サービスシステムであって、
前記サーバーは、
前記作業者端末から送信される前記画像情報を格納するデータベースと、
前記格納された前記画像情報に基づく第１の画像を表示するための画像表示枠を備えるとともに前記第１の画像を全体表示または部分表示のいずれかの選択を入力可能に表示する画面情報を前記ユーザ端末の表示画面に表示可能に生成するとともに、前記ユーザ端末によって前記全体表示が選択された場合には所定画素数より小さい画素数で構成される前記第１の画像を表示し、前記部分表示が選択された場合には前記所定画素数以上で構成される第１の画像の一部分を表示する画面情報生成手段を備えることを特徴とする画像編集サービスシステム。
【請求項９】
前記所定画素数は、目的の大きさに印刷するときに所定の解像度以上の画像が得られる画素数である請求項８に記載の画像編集サービスシステム。
【請求項１０】
前記画面情報生成手段は、前記画面情報に、更に前記ユーザ端末によって前記部分表示が選択された場合の前記第１の画像の表示部分を変更するためのソフトキーを備え、前記ユーザ端末による前記ソフトキーを用いた入力に応じて前記画面情報を更新し前記第１の画像の表示部分を変更して表示する請求項８または請求項９に記載の画像編集サービスシステム。
【請求項１１】
ネットワークと、
前記ネットワークに接続されたサーバーと、
前記ネットワークに接続され、デザインの注文を行うためのユーザ端末と、
前記ネットワークに接続され、前記サーバーを介して前記注文を受け付け、前記注文に基づき画像編集作業の発注を行うための管理者端末と、
前記ネットワークに接続され、前記発注に基づき画像編集を行い画像情報を作成するための作業者端末と、を含む画像編集サービスシステムで行う画面情報生成方法であって、
前記作業者端末から送信される前記画像情報を格納する段階と、
前記格納された前記画像情報に基づく第１の画像を表示するための画像表示枠を備えるとともに、前記第１の画像の表示条件を入力可能に表示する画面情報を前記ユーザ端末の表示画面に表示可能に生成する段階と、
前記表示条件を入力する段階と、
前記入力される前記表示条件に基づいて、前記第１の画像に第２の画像を部分的に重ねて表示する段階と、を含むことを特徴とする画面情報生成方法。
【請求項１２】
ネットワークと、
前記ネットワークに接続されたサーバーと、
前記ネットワークに接続され、デザインの注文を行うためのユーザ端末と、
前記ネットワークに接続され、前記サーバーを介して前記注文を受け付け、前記注文に基づき画像編集作業の発注を行うための管理者端末と、
前記ネットワークに接続され、前記発注に基づき画像編集を行い画像情報を作成するための作業者端末と、を含む画像編集サービスシステムで行う画面情報生成方法であって、
前記作業者端末から送信される前記画像情報を格納する段階と、
前記格納された前記画像情報に基づく第１の画像を表示するための画像表示枠を備えるとともに前記第１の画像を全体表示または部分表示のいずれかの選択を入力可能に表示する画面情報を前記ユーザ端末の表示画面に表示可能に生成する段階と、
前記全体表示または部分表示のいずれかを選択し入力する段階と、
前記入力に基づいて、前記全体表示が選択された場合には所定画素数より小さい画素数で構成される前記第１の画像を表示し、前記部分表示が選択された場合には前記所定画素数以上で構成される第１の画像の一部分を表示する段階と、を含むことを特徴とする画面情報生成方法。
【発明の詳細な説明】
【０００１】
【発明の属する技術分野】
本発明は、例えば写真画像を入れたポストカード等のデザインを作成するサービスをインターネットなどのネットワークを介して顧客に提供する画像編集サービスシステム及びその画像編集サービスシステムに適用される画面情報生成方法に関する。
【０００２】
【従来の技術】
近年、顧客は、結婚後の挨拶や年賀の挨拶等で写真画像を入れたポストカードを使うことが多くなってきている。また、写真入りの名刺なども多く使われている。この写真画像入りのポストカードや名刺等の作成注文を、インターネットなどを介して行なうネットワークビジネスが提案されている（例えば、特許文献１参照。）。
【０００３】
この場合、ポストカードの注文時に、顧客はポストカードのデザインを例えば規定のレイアウトを選択し、あるいは独自の写真画像の位置や文字情報位置等のレイアウトを決める．文字情報としては、例えば住所、氏名、挨拶文等を入力する。写真画像は、一枚の場合、あるいは複数枚と合成する場合等があり、これらの写真画像を送り、そのデザインを指示する。また、写真画像から不要な背景等の削除や赤目除去等の修正の指示を行なう場合がある。
【０００４】
このような顧客からのデザイン注文に基づき、画像プリントサービスを行う出力センター等では、管理者がデザイナー等の作業者にデザインの作成作業の発注を行ない、デザインの作成作業が終了すると、顧客に顧客が行ったデザイン注文と相違ないかを確認させた後、プリントアウトして顧客へ送るようになっている。
【０００５】
ところで、特許文献１に記載のネットワークビジネスにおいて、顧客は、デザイン作業により作成された画像をブラウザソフトによりインターネットを介して顧客の所有する端末に表示させ、デザイン注文と相違ないかを確認することが可能である。
【０００６】
【特許文献１】
特開２００２−１４９７９３号公報（第１〜８頁、図１〜図１０）
【０００７】
【発明が解決しようとする課題】
しかしながら、顧客の所有する端末の表示画面によっては、特に細かな文字（例えばＥメールアドレス等）の確認がし難く校正の漏れとなる場合がある。また、顧客の所有する端末に表示される画像の画像データをダウンロードすることにより、顧客は顧客の所有するプリンタ等を用いてデザイン作業により作成された画像をプリントアウトすることができるようになっていた。本来出力センター等はプリントアウトすることより得られる利益を目的として運営されているものであるから、このように顧客にプリントアウトされてしまうと利益が減少または無くなってしまい、これではビジネスとしての旨みが半減してしまう。
【０００８】
そこで、顧客がデザイン作業により作成された画像をそのままダウンロードできないように、例えば顧客の所有する端末に表示される画像に「見本」等の文字を重ねて表示する方法や低い解像度で画像を表示させる方法があるが、前者の方法によれば、デザイン作業により作成された画像が部分的に隠れてしまいデザインの確認を確実に行うことができないし、後者によれば表示される画像の印象が変わってしまいデザインの善し悪しの判定ができないことがある。
【０００９】
本発明は、上記事情に鑑みてなされたものであり、顧客側の端末に表示する画像を条件により変化させることにより、顧客がデザインの確認が確実にでき、且つ、顧客がダウンロードしプリントアウトしてもデザイン作業により作成されたそのままの画像を得られないようにすることが可能な画像編集サービスシステム及び画面情報生成方法を提供することにある。
【００１０】
【課題を解決するための手段】
上記目的を達成するために、請求項１記載の発明は、ネットワークと、前記ネットワークに接続されたサーバーと、前記ネットワークに接続され、デザインの注文を行うためのユーザ端末と、前記ネットワークに接続され、前記サーバーを介して前記注文を受け付け、前記注文に基づき画像編集作業の発注を行うための管理者端末と、前記ネットワークに接続され、前記発注に基づき画像編集を行い画像情報を作成するための作業者端末と、を含む画像編集サービスシステムであって、前記サーバーは、前記作業者端末から送信される前記画像情報を格納するデータベースと、前記格納された前記画像情報に基づく第１の画像を表示するための画像表示枠を備えるとともに前記第１の画像の表示条件を入力可能に表示する画面情報を前記ユーザ端末の表示画面に表示可能に生成するとともに、前記ユーザ端末から入力される前記表示条件に基づいて、前記第１の画像に第２の画像を部分的に重ねて表示する画面情報生成手段を備えることを特徴としている。
【００１１】
また、請求項２記載の発明は、ネットワークと、前記ネットワークに接続されたサーバーと、前記ネットワークに接続され、デザインの注文を行うためのユーザ端末と、前記ネットワークに接続され、前記サーバーを介して前記注文を受け付け、前記注文に基づき画像編集作業の発注を行うための管理者端末と、前記ネットワークに接続され、前記発注に基づき画像編集を行い画像情報を作成するための作業者端末と、を含む画像編集サービスシステムであって、前記サーバーは、前記作業者端末から送信される前記画像情報を格納するデータベースと、前記格納された前記画像情報に基づく第１の画像を表示するための画像表示枠を備えるとともに前記第１の画像を全体表示または部分表示のいずれかの選択を入力可能に表示する画面情報を前記ユーザ端末の表示画面に表示可能に生成するとともに、前記ユーザ端末によって前記全体表示が選択された場合には前記第１の画像の上に第２の画像を部分的に重ねて表示し、前記ユーザ端末によって前記部分表示が選択された場合には前記第１の画像の一部分を表示する画面情報生成手段を備えることを特徴としている。
【００１２】
また、請求項３記載の発明は、前記画面情報生成手段は、前記画面情報に、更に前記ユーザ端末によって前記部分表示が選択された場合の前記第１の画像の表示部分を変更するためのソフトキーを備え、前記ユーザ端末による前記ソフトキーを用いた入力に応じて前記画面情報を更新し前記第１の画像の表示部分を変更して表示することを特徴としている。
【００１３】
また、請求項４記載の発明は、ネットワークと、前記ネットワークに接続されたサーバーと、前記ネットワークに接続され、デザインの注文を行うためのユーザ端末と、前記ネットワークに接続され、前記サーバーを介して前記注文を受け付け、前記注文に基づき画像編集作業の発注を行うための管理者端末と、前記ネットワークに接続され、前記発注に基づき画像編集を行い画像情報を作成するための作業者端末と、を含む画像編集サービスシステムであって、前記サーバーは、前記作業者端末から送信される前記画像情報を格納するデータベースと、前記格納された前記画像情報に基づく第１の画像を表示するための表示可能な画像表示枠を備えるとともに前記第１の画像を全体表示または部分表示若しくは前記第１の画像を構成する画素数との組み合わせのいずれかの選択を入力可能に表示する画面情報を前記ユーザ端末の表示画面に表示可能に生成するとともに、前記ユーザ端末によって前記全体表示が選択され且つ前記第１の画像を構成する画素数が所定画素数以上の場合には前記第１の画像に第２の画像を部分的に重ねて表示し、前全体表示が選択され且つ前記第１の画像を構成する画素数が所定画素数より少ない場合には、前記第１の画像を表示し、前記部分表示が選択された場合には前記第１の画像の一部分を表示する画面情報生成手段を備えることを特徴としている。
【００１４】
また、請求項５記載の発明は、前記所定画素数は、目的の大きさに印刷するときに所定の解像度以上の画像が得られる画素数であることを特徴としている。
【００１５】
また、請求項６記載の発明は、前記画面情報生成手段は、前記画面情報に、更に前記ユーザ端末によって前記部分表示が選択された場合の前記第１の画像の表示部分を変更するためのソフトキーを備え、前記ユーザ端末による前記ソフトキーを用いた入力に応じて前記画面情報を更新し前記第１の画像の表示部分を変更して表示することを特徴としている。
【００１６】
また、請求項７記載の発明は、前記画面情報生成手段は、前記画面情報に、更に前記第２の画像の複数の表示状態を選択可能に表示し、選択される前記表示状態に基づいて前記第２の画像を重ねて表示することを特徴としている。
【００１７】
また、請求項８記載の発明は、ネットワークと、前記ネットワークに接続されたサーバーと、前記ネットワークに接続され、デザインの注文を行うためのユーザ端末と、前記ネットワークに接続され、前記サーバーを介して前記注文を受け付け、前記注文に基づき画像編集作業の発注を行うための管理者端末と、前記ネットワークに接続され、前記発注に基づき画像編集を行い画像情報を作成するための作業者端末と、を含む画像編集サービスシステムであって、前記サーバーは、前記作業者端末から送信される前記画像情報を格納するデータベースと、前記格納された前記画像情報に基づく第１の画像を表示するための画像表示枠を備えるとともに前記第１の画像を全体表示または部分表示のいずれかの選択を入力可能に表示する画面情報を前記ユーザ端末の表示画面に表示可能に生成するとともに、前記ユーザ端末によって前記全体表示が選択された場合には所定画素数より小さい画素数で構成される前記第１の画像を表示し、前記部分表示が選択された場合には前記所定画素数以上で構成される第１の画像の一部分を表示する画面情報生成手段を備えることを特徴としている。
【００１８】
また、請求項９記載の発明は、前記所定画素数は、目的の大きさに印刷するときに所定の解像度以上の画像が得られる画素数であることを特徴としている。
【００１９】
また、請求項１０記載の発明は、前記画面情報生成手段は、前記画面情報に、更に前記ユーザ端末によって前記部分表示が選択された場合の前記第１の画像の表示部分を変更するためのソフトキーを備え、前記ユーザ端末による前記ソフトキーを用いた入力に応じて前記画面情報を更新し前記第１の画像の表示部分を変更して表示することを特徴としている。
【００２０】
また、請求項１１記載の発明は、ネットワークと、前記ネットワークに接続されたサーバーと、前記ネットワークに接続され、デザインの注文を行うためのユーザ端末と、前記ネットワークに接続され、前記サーバーを介して前記注文を受け付け、前記注文に基づき画像編集作業の発注を行うための管理者端末と、前記ネットワークに接続され、前記発注に基づき画像編集を行い画像情報を作成するための作業者端末と、を含む画像編集サービスシステムで行う画面情報生成方法であって、前記作業者端末から送信される前記画像情報を格納する段階と、前記格納された前記画像情報に基づく第１の画像を表示するための画像表示枠を備えるとともに、前記第１の画像の表示条件を入力可能に表示する画面情報を前記ユーザ端末の表示画面に表示可能に生成する段階と、前記表示条件を入力する段階と、前記入力される前記表示条件に基づいて、前記第１の画像に第２の画像を部分的に重ねて表示する段階と、を含むことを特徴としている。
【００２１】
また、請求項１２記載の発明は、ネットワークと、前記ネットワークに接続されたサーバーと、前記ネットワークに接続され、デザインの注文を行うためのユーザ端末と、前記ネットワークに接続され、前記サーバーを介して前記注文を受け付け、前記注文に基づき画像編集作業の発注を行うための管理者端末と、前記ネットワークに接続され、前記発注に基づき画像編集を行い画像情報を作成するための作業者端末と、を含む画像編集サービスシステムで行う画面情報生成方法であって、前記作業者端末から送信される前記画像情報を格納する段階と、前記格納された前記画像情報に基づく第１の画像を表示するための画像表示枠を備えるとともに前記第１の画像を全体表示または部分表示のいずれかの選択を入力可能に表示する画面情報を前記ユーザ端末の表示画面に表示可能に生成する段階と、前記全体表示または部分表示のいずれかを選択し入力する段階と、前記入力に基づいて、前記全体表示が選択された場合には所定画素数より小さい画素数で構成される前記第１の画像を表示し、前記部分表示が選択された場合には前記所定画素数以上で構成される第１の画像の一部分を表示する段階と、を含むことを特徴としている。
【００２２】
【発明の実施の形態】
以下、本発明に係る画像編集サービスシステムの一例としての実施の形態及びその画像編集サービスシステムで用いられる画面情報生成方法について、図面を参照しながら詳細に説明する。
【００２３】
（システムの全体構成）
当該画像編集サービスシステムは、例えば顧客が所有する画像素材や予め用意されている画像素材または顧客が希望する文章等の文字素材や予め用意されている定型文等の文字素材を予め用意されているレイアウトや顧客が注文するレイアウトに配置するデザインを出力センターに注文し、出力センターの管理者が、その注文の受け付けとデザイナーへのデザイン発注を行い、デザイナーが顧客の注文に基づいて画像編集を行い、出力センターまたは外部の店舗等でプリントアウト（印刷）して顧客に提供するためのものである。また、本発明は、デザイナーが画像編集して作成した編集画像の校正を顧客が端末の表示画面を用いて行うに際し、編集画像の特に細かな文字までもが確実に確認でき、且つ、顧客が作成された編集画像をそのままダウンロードできないような画面を顧客の端末に表示するものである。以下、この画像編集サービスシステムについて、図を参照しつつ詳細に説明する。
【００２４】
［第１の実施の形態］
先ず、本発明に係る第１の実施の形態の画像形成システムの全体の概略構成について、図１を参照して説明する。図１は当該画像編集サービスシステムの構成図である。
【００２５】
図１に示すように、画像編集サービスシステムは、ネットワーク１に、サーバー２と、複数のユーザ端末３ａ、３ｂ、３ｃ・・・と、複数の作業者端末４ａ、４ｂ、４ｃ・・・と、管理者端末５とが接続され構成される。
【００２６】
ネットワーク１は、コンピュータシステム、端末、データ通信設備を相互に接続するものであり、専用回線、公衆回線のような有線での接続でもよいし、通信衛星などを介する無線での接続でもよい。また、いわゆるインターネットなどもこれに含まれる。
【００２７】
ユーザ端末３は、画像編集サービスを享受するために顧客が注文等に用いる端末で、いわゆるパーソナルコンピュータ、携帯情報端末、携帯電話等の文字情報と画像情報の送受信が可能な電子端末機器である。ユーザ端末３は、モニタ等の表示画面と、キーボードやマウス等の操作部とを備えて、少なくともＷｅｂページを閲覧するためのブラウザ機能を有し、サーバー２から提供される画面情報に基づく画面を表示し、その画面を用いてデザインの注文等画像編集サービスを享受するための作業を顧客が行うことができる。また、メールの送受信機能を備えている。
【００２８】
また、ユーザ端末３から、ネットワーク１を介して画像素材等を供給するために、ユーザ端末３が、パーソナルコンピュータや携帯情報端末の場合には、画像入力装置、例えば、デジタルカメラやスキャナー等と接続し、また、画像を記録した記録媒体をセットして画像の取り込みができることが好ましい。また、携帯電話の場合には、デジタルカメラ機能を備え画像の取り込みを行なうことや他の電子機器からの通信により画像データを受信して画像の取り込みができることが好ましい。
【００２９】
管理者端末５は、顧客からのデザインの注文を受け付けて、その注文に基づいてデザイン作業の発注等の画像編集サービスの管理をするために管理者が用いる端末で、いわゆるパーソナルコンピュータやワークステーション等である。管理者端末５は、モニタ等の表示画面と、キーボードやマウス等の操作部とを備えて、少なくともＷｅｂページを閲覧するためのブラウザ機能を有し、サーバー２から提供される画面情報に基づく画面を表示し、その画面を用いてデザインの発注の受け付けやその発注に基づくデザイン作業の発注等画像編集サービスを提供するための管理作業を管理者が行うことができる。また、メールの送受信機能を備えている。また、管理者端末５は、出力センターに配置され、プリントアウトするための画像形成装置と接続され、画像編集の終了したデザインをプリントアウトし、顧客へ納入する。
【００３０】
作業者端末４は、デザイン作業を行うためにデザイナーが用いる端末で、いわゆるパーソナルコンピュータやワークステーション等である。作業者端末４は、モニタ等の表示画面と、キーボードやマウス等の操作部とを備えて、少なくともＷｅｂページを閲覧するためのブラウザ機能を有し、サーバー２から提供される画面情報に基づく画面を表示することができる。また、メールの送受信機能を備えている。
【００３１】
サーバー２は、管理装置であり、その機能ブロック図を図２に示すが、管理手段２１、画面情報生成手段２２、データベース２３、メール作成手段２５、及び、ネットワーク１とのインターフェイスＩ／Ｆ２６を備えている。
【００３２】
管理手段２１は、ネットワーク１を介し送信されてくる各種情報や要求を受け付けるとともに各種情報に基づいて、データベース２３のデータの書き換えおよび新しいデータの登録等の更新を行う。
【００３３】
画面情報生成手段２２は、上述の各端末３，４，５からの要求があると、その要求に応じ、各端末３，４，５でブラウザソフトを用いて表示が可能な画面情報、或いは、既に表示されている画面を更新するための画面情報を生成する機能と、それらの画面情報を要求元の端末へインターフェイスＩ／Ｆ２６を介し送信する機能を備えている。
【００３４】
データベース２３は、注文に関する情報、デザインの発注に関する情報、各種画像情報等を格納する受発注管理テーブル２３ａ（詳細後述）、顧客に関する情報を格納する顧客テーブル、デザイナーに関する情報を格納するデザイナーテーブル等を有する。
【００３５】
メール作成手段２５は、管理手段２１が受け付けるデザインの発注についての情報やデザイン作業についての情報から、各端末３，４，５に進捗応じて状況を通知するためのメールを作成し送信する機能を備えている。
【００３６】
（画像編集サービス）
次に、当該画像編集サービスシステムで行う画像編集サービスの手順の一例を説明する。図３は画像編集サービスの工程を示すフローチャート、図４はサーバー２及び各端末３，４，５間の処理・通信の流れを説明する説明図である。
【００３７】
まず、デザイン注文が行われる（図３ステップＳ１０１、以下省略しＳ１０１と記述する。）。デザイン注文は、図４（１）で示すようにユーザ端末３とサーバー２の間で行われる。顧客はユーザ端末３を用いてブラウザを立ち上げてサーバー２にアクセスする。サーバー２は、管理手段２１でこれを受けて、まず顧客の認証のために予め顧客に取得した所定の認証コードが入力可能且つサーバー２への送信を行うためのボタン（画面上のソフトキー。以下ソフトキーをボタンと表記する。）を含む画面の画面情報を画面情報生成手段２２で生成し送信する。顧客はユーザ端末３が所定の認証コードを入力しサーバー２へ送信する。サーバー２は、管理手段２１でこれを受けて、選択可能にされたメニュー等を含む画面（図示せず）の画面情報を画面情報生成手段２２で生成し送信する。そして、ユーザ端末３で画面が表示されて顧客が所望のメニューを選択し、サーバー２はその選択を管理手段２１で受けて選択に基づいて画面情報生成手段２２により画面情報を生成し送信し、ユーザ端末３で画面が更新され、このようなメニュー選択と画面の更新を繰り返すことにより、顧客は注文のための画面を表示させ注文を行う。また、以下、作業や入力を行う画面の各端末３，４，５での表示は、作業者端末４であればデザイナーが取得した所定の認証コード、管理者端末であれば管理者が取得した所定の認証コードを用い上述した顧客が取得した所定の認証コードのやり取りと同様のやり取りがサーバー２との間で行われ、各端末３，４，５からの要求に応じた画面情報が画面情報生成手段２２により生成及び送信され、同様に画面の更新がなされるものであり、認証や画面の更新についてはなるべく省略して記述する。
【００３８】
ここで、注文の説明に戻す。例えば、デザインレイアウトを選択するためのデザイン選択画面（図示ぜず）によりデザインレイアウトを選択、文字素材を記入選択するためのコメント選択画面（図示ぜず）により文字素材として予め用意された定型文からの選択やオリジナルコメントの記入を行い、画像素材を選択するための画像選択画面（図示ぜず）により画像素材として予め用意されたキャラクターや景色などの画像からの選択や予めユーザ端末に取り込んでおいた画像から選択しサーバー２へのアップロードなどを行いデザインの注文を行う。
【００３９】
次に、サーバー２は、受注を行う（Ｓ１０２）。管理手段２１は、上述の注文を受け付けて、受発注管理テーブル２３ａに各種情報を格納する。例えば、受発注管理テーブル２３ａは、図５に示すような構造をしており、Ｎｏ．１１を例に説明すれば、「デザイン注文Ｎｏ．」を例えば「０１１」と付して、「受付日時」には受付日時「２００２／１１／８  １５：３４」、「顧客」には注文した顧客を示すコード「Ｃ−０１Ａ」、「選択デザイン」には選択されたデザインレイアウトを示す例えば「ＨＷ−０２１」、「素材（画像素材）」には例えば選択及びアップロードされた画像素材の画像素材ファイルとしての「０１１−１、０１１−２、０１１−３、Ａ−８、Ｃ−２」、「素材（文字素材）」には選択及び記入された文字素材のテキストファイル「０１１−Ｔ１、０１１−Ｔ２、Ａ−Ｔ１」が格納される。またこのほかに「見積金額」や「完成予定日」、「顧客要望」には注文の際なされた顧客からの要望等が格納される。このようにして管理手段２１で注文を受け付け、受発注管理テーブル２３ａへの格納を行うと、メール作成手段２５は、受注した旨を記載したメールを作成し、図４（２）に示すように管理者端末５へそのメールを送信する。
【００４０】
さらに次に、管理者端末５では、このメールを受けた管理者が受注したデザインについての作業をデザイナーに振り分けてデザイン発注を行う（Ｓ１０３）。デザイン発注は、図４（３）で示すように管理者端末５とサーバー２の間で行われる。管理者は、管理者端末５で所定の認証コードによる認証、画面の更新等を行い、デザイン発注のための発注画面（図示せず）によりデザイナーの選択等を行いデザイン発注を行う。
【００４１】
デザイン発注がなされると、サーバー２の管理手段２１は、そのデザイン発注を受け付けて、図５に示す受発注管理テーブル２３ａの「デザイナー」に発注されたデザイナーを示すコード、例えばＮｏ．１１では「Ｄ−１１１」と「デザイン依頼日」にはデザイン依頼日として例えばＮｏ．１１では「２００２／１１／８」と格納する。「管理者指示」には発注の際なされた管理者からデザイナーへの指示等が格納される。このようにして管理手段２１でデザイン発注を受け付け、受発注管理テーブル２３ａへの格納を行うと、メール作成手段２５は、デザインの発注の旨を記載したメールを作成し、図４（４）に示すように選択されたデザイナー用の作業者端末４へそのメールを送信する。
【００４２】
そして、デザイナーはこのメールを受けて、作業者端末４を用いてデザイン作業を行う（Ｓ１０４）。デザイン作業は、図４（５）で示すように作業者端末４とサーバー２の間で行われる。デザイナーは、作業者端末４で所定の認証コードによる認証、画面の更新等を行い、デザイン作業を行うためのデザイン作業画面（図示せず）を表示する。例えば、デザイン作業画面をもちいて画像素材及び文字素材をダウンロードして作業者端末４に予めインストールされている画像編集ソフトを用いて画像の切り取り、ゴミの除去、色補正等の画像編集を行う。また、例えばデザイン作業画面に画像編集機能を備えておきデザイン作業画面で画像編集を行うようにしてもよい。このようにしてデザイナーは編集画像を作成し、編集画像の画像情報をサーバー２に送信する。
【００４３】
サーバー２は、管理手段２１でこの編集画像の画像情報を受け付け、画像情報を受発注管理テーブル２３ａの「編集画像ファイル」に格納する。例えば、Ｎｏ．１１では末尾に履歴を表す「−１」を付した画像ファイル「０１１−ＨＷ−０２１−１」として格納される。また、「デザイナー要望」には画像情報の送信の際なされたデザイナーからの要望等が格納される。
【００４４】
そして、メール作成手段２５は、デザイン作業が終了した旨を記載したメールを作成し、図４（６）に示すように管理者端末５とユーザ端末３へそのメールを送信する。
【００４５】
そして、顧客及び管理者は、このメールを受けて編集画像について校正を行う（Ｓ１０５）。校正は、図４（７）で示すようにユーザ端末３とサーバー２及び管理者端末５とサーバー２の間で行われる。
【００４６】
管理者は、このメールを受けて管理者端末５で所定の認証コードによる認証、画面の更新等を行い、上述の受発注管理テーブル２３ａに格納された画像情報としての画像ファイル「０１１−ＨＷ−０２１−１」に基づいて管理者端末５の表示画面に編集画像を表示し、デザイナーが作成した編集画像を見て顧客の希望通りのデザインになっているか、文字間違いや画像等の校正を行う。
【００４７】
一方、顧客は、ユーザ端末３で所定の認証コードによる認証、画面の更新等を行い、上述の受発注管理テーブル２３ａに格納された画像情報としての画像ファイル「０１１−ＨＷ−０２１−１」に基づいてユーザ端末３の表示画面に編集画像を表示し、デザイナーが作成した編集画像を見て顧客の希望通りのデザインになっているか、文字間違いや画像等の校正を行う。
【００４８】
ここで、上述の校正の際にユーザ端末３に表示される校正画面２２１について図を参照しつつ詳細に述べる。図６、図７は、ユーザ端末３に表示される校正画面２２１の一例で、図６には編集画像の全体を表示する場合、図７には編集画像の部分を表示する場合を示した。
【００４９】
校正画面２２１は、編集画像を表示するための本発明の画像表示枠としての編集画像表示枠２２１ａ、編集画像表示枠２２１ａに表示する編集画像の表示条件として全体表示及び部分表示を選択するための全体表示ボタン２２１ｂ及び部分表示ボタン２２１ｃ、校正の結果がＯＫの場合にその旨をサーバー２へ送信するためのＯＫボタン２２１ｄ、修正がある場合にその旨をサーバー２へ送信するための修正ボタン２２１ｅ、修正内容について顧客が記入するための記入欄２２１ｆを備え、編集画像の全体表示がなされている場合には、図６に示す後述する移動ボタン２２１ｇをさらに備え、編集画像の部分表示がなされている場合には、図７に示す後述する画像スクロールボタン２２１ｈ（４つ）をさらに備えている。
【００５０】
次に、図８を用いて編集画像表示枠２２１ａの編集画像の表示について説明する。図８は、サーバー２における校正画面２２１の生成手順を示すフローチャートである。
【００５１】
まず、顧客が、ユーザ端末３で所定の認証コードによる認証、画面の更新等を行い、校正画面２２１を表示するように操作を行うとサーバー２の管理手段２１がこれを受け付け、画面情報生成手段２２は表示の要求により（Ｓ２０１）、校正画面２２１の生成を開始する。初めに表示する表示条件は予め設定された条件で行う（Ｓ２０２）。本実施の形態では全体表示を初めに表示する表示条件として説明するが、部分表示を表示する表示条件としてもよい。画面情報生成手段２２は、校正画面２２１の編集画像表示枠２２１ａに編集画像の全体と編集画像に「Ｓａｍｐｌｅ」を所定の向き（本例では右上がりを所定の向きとしたがこれに限るものではない。）にし、重ねて表示するように校正画面２２１を生成しユーザ端末３へ送信する（Ｓ２０３）。ユーザ端末３の表示画面には、図９に示すように「Ｓａｍｐｌｅ」が右下がりで編集画像の上に表示される。本発明の第２の画像はこの「Ｓａｍｐｌｅ」であり、編集画像に「Ｓａｍｐｌｅ」が部分的に重なっている。ただし、「Ｓａｍｐｌｅ」は一例であり、例えば「見本」、「これはサンプルです」或いはキャラクター等の表示等であってもよい。また、この第２の画像は、重なる部分の第１の画像としての編集画像を隠すように色付けされたもの、白抜きとするもの、半透明にされ編集画像が透かして見えるものなどであればよい。このように編集画像を表示することにより顧客は、編集画像の全体を確認することができ、また、この編集画像をダウンロードしてもプリントアウトしても、プリントアウトしたものには「Ｓａｍｐｌｅ」の表示が付いてしまう。したがって、顧客は出力センター等に編集画像を用いたプリントアウトを注文することになり、本画像編集サービスのビジネスとしての旨みが損なわれない。
【００５２】
また、顧客がこの編集画像の全体の確認の際、「Ｓａｍｐｌｅ」の重ねられた部分を確認したいときには、移動ボタン２２１ｇをクリックする。管理手段２１がこれを受け付け、画面情報生成手段２２は表示の要求により（Ｓ２０５）、「Ｓａｍｐｌｅ」の向きを変更して編集画像の全体に重ねて表示するように校正画面２２１を生成しユーザ端末３へ送信する（Ｓ２０６）。一例として、図１０（ａ）に示すように右下がりの「Ｓａｍｐｌｅ」、（ｂ）に示すような右上がりの「Ｓａｍｐｌｅ」にその表示状態を変化する。また、表示状態の変化は図１０の例に限るものではなく、上下への平行移動や大小の変化或いは表示内容そのものの変更等であってもよい。このように重ねて表示する第２の画像の表示状態を変更することにより、第２の画像により確認できない部分を発生しない。
【００５３】
さらに、顧客が部分表示に変更するように部分表示ボタン２２１ｃをクリックすると、管理手段２１がこれを受け付け、画面情報生成手段２２は表示条件変更の要求により（Ｓ２０４）、表示条件を部分表示とし（Ｓ２０２）編集画像表示枠２２１ａに編集画像の予め設定された一部分を表示するように生成し、ユーザ端末へ送信する（Ｓ２０７）。本実施の形態では初めに編集画像の左上部分を表示するように説明するが、この限りではなく中央、左下等いずれの部分であってもよい。ユーザ端末３の表示画面には、図１１（ａ）に示すように左上部分が表示される。また、図１１の（ａ）から（ｄ）には、編集画像表示枠２２１ａが編集画像の４分の１を表示するように示したがこれに限らず、２分の１や８分の１の表示或いは全体を表示しない任意の大きさであってよい。また、顧客が所望の方向の画像スクロールボタン２２１ｈをクリックすることにより、管理手段２１がこれを受け付け、画面情報生成手段２２は表示部分変更の要求により（Ｓ２０９）、編集画像表示枠２２１ａに編集画像の表示部分を変更して表示するように生成し、ユーザ端末へ送信する（Ｓ２１０）。ユーザ端末３の表示画面には、例えば、図１１（ａ）から（ｄ）に示すように編集画像の部分を変更して表示される。
【００５４】
この表示には「Ｓａｍｐｌｅ」の表示がないので編集画像の確認が容易である。また、表示された画面上で編集画像表示枠２２１を広げて拡大できるようにしておけば、細かい文字などの確認も容易になる。しかし、顧客がこの画像をダウンロードしてもプリントアウトしても、一部分の編集画像しか得られない。したがって、顧客は出力センター等に編集画像を用いたプリントアウトを注文することになり、本画像編集サービスのビジネスとしての旨みが損なわれない。
【００５５】
またさらに、顧客が全体表示に変更するように全体表示ボタン２２１ｂをクリックすることにより、管理手段２１がこれを受け付け、画面情報生成手段２２は表示条件変更の要求により（Ｓ２０８）、Ｓ２０２及びＳ２０３を行い全体表示へ変更することができる。
【００５６】
このように校正を行い、編集画像に問題がなければ、ＯＫボタン２２１ｄをクリックしてサーバー２の管理手段２１がこれを受け付け校正が終了する。また、修正がある場合には、記入欄２２１ｆに顧客が修正内容について記入し、修正ボタン２２１ｅをクリックし、サーバー２の管理手段２１がこれを受け付ける。そして、デザイナーによる編集画像の修正及び管理者、顧客の校正を繰り返す。
【００５７】
そして、校正が終了するとプリント発注（Ｓ１０６）さらにプリント発送（Ｓ１０７）がなされ、本プリントサービスは終了する。
【００５８】
また、上述の説明では本画像編集サービスシステムの管理端末５を１台として説明したが、複数台の管理端末を備えるようにしてもよい。
【００５９】
［第２の実施の形態］
次に、本発明に係る第２の実施の形態について説明する。なお、以下には第１の実施の形態と実質的に同様の構成については、詳細な説明を省略し、主に異なる点について述べる。
【００６０】
本実施の形態の特徴は、第１の実施の形態の全体表示または部分表示に加え顧客端末３に表示する第１の画像としての編集画像の画素数とを組み合わせた点にある。
【００６１】
以下本実施の形態の説明を、第二種通常はがき相当（以下ポストカードという）の大きさにプリントアウトすることを目的とする場合を例に説明する。
【００６２】
画面情報生成手段２２は、第１の実施の形態で説明した機能に加え、受発注管理テーブル２３ａに格納された画像情報に基づく画像を各端末３、４、５の表示画面に表示する際に複数の画像を構成する画素数でもって表示させるように画面情報を生成する機能を有する。
【００６３】
受発注管理テーブル２３ａの「編集画像ファイル」の画像ファイルは、ポストカードの大きさでプリントアウトする場合に十分な画質となる解像度（ｄｏｔ  ｐｅｒ  ｉｎｃｈ）が得られる画素数であるいわゆる４ｂａｓｅ（１５３６ｄｏｔ×１０２４ｄｏｔ）で作成され格納される。ただし、これは本実施の形態の説明をポストカードの大きさにプリントアウトすることを目的とする場合を例に説明するためであり、これに限るものではない。例えば、プリントアウトの対象がポストカードより小さければ４ｂａｓｅより小さい画素数、プリントアウトの対象がポストカードより大きければ４ｂａｓｅより大きい画素数でプリントアウトする際に十分な画質となる解像度が得られるように格納することになる。
【００６４】
図１２に校正画面２２２を示すが、本実施の形態では第１の実施の形態で用いた校正画面２２１の全体表示ボタン２２１ｂ及び部分表示ボタン２２１ｃに代えて表示条件指定欄２２２ａと画面更新ボタン２２２ｂを備える。表示条件指定欄２２２ａには、全体表示及び部分表示の選択のための「画像表示」には「全体」及び「部分」の表示と編集画像を構成する画素数の選択のための「画像の画素数」には「大」及び「小」の表示とを備え選択可能になされ、本実施の形態では「大」は編集画像を構成する画素数が４ｂａｓｅ「小」は１ｂａｓｅ（７６８ｄｏｔ×５１２ｄｏｔ）とする。１ｂａｓｅは、編集画像表示欄２２１ａは表示画面に表示する際に十分な画質となる画素数である。また、編集画像表示欄２２１ａは、表示する画素数に応じてその大きさを変化させてもよく、また、固定の大きさであってもよい。また、移動ボタン２２１ｇは「Ｓａｍｐｌｅ」が表示されたときに表示するようにされ、画像スクロールボタン２２１ｈは編集画像が部分表示された場合に表示するようになされる。
【００６５】
次に、図１３を用いて編集画像表示枠２２１ａの編集画像の表示について説明する。図１３は、サーバー２における校正画面２２２の生成手順を示すフローチャートである。
【００６６】
まず、顧客が、ユーザ端末３で所定の認証コードによる認証、画面の更新等を行い、校正画面２２１を表示するように操作を行うとサーバー２の管理手段２１がこれを受け付け、画面情報生成手段２２は表示の要求により（Ｓ３０１）、校正画面２２１の生成を開始する。初めに表示する表示条件は予め設定された条件で行う（Ｓ３０２、Ｓ３０３）。本実施の形態では全体表示且つ編集画像を構成する画素数が４ｂａｓｅを初めに表示する表示条件として説明するが、部分表示を表示する表示条件としてもよい。画面情報生成手段２２は、校正画面２２２の編集画像表示枠２２１ａに画素数が４ｂａｓｅで構成される編集画像の全体と編集画像の上に「Ｓａｍｐｌｅ」を所定の向き（本例では右上がりを所定の向きとしたがこれに限るものではない。）にし、重ねて表示するように校正画面２２１を生成しユーザ端末３へ送信する（Ｓ３０４）。ユーザ端末３の表示画面には、図９に示すように「Ｓａｍｐｌｅ」が右下がりで編集画像の上に表示される。また、「Ｓａｍｐｌｅ」は第１の実施の形態と同様にその向きを変更することができる（Ｓ３０６、Ｓ３０７）。
【００６７】
次に、顧客が画素数が１ｂａｓｅで構成される編集画像の全体の表示に変更するように表示条件指定欄２２２ａで画像表示の「全体表示」と画像の画素数の「小」とを選択し画面更新ボタン２２２ｂをクリックすると、管理手段２１がこれを受け付け、画面情報生成手段２２は表示条件変更の要求により（Ｓ３０５）、表示条件を全体表示（Ｓ３０２）と１ｂａｓｅ（Ｓ３０３）とし編集画像表示枠２２１ａに画素数が１ｂａｓｅで構成される編集画像の全体を表示するように生成し、ユーザ端末へ送信する（Ｓ３０６）。
【００６８】
このように表示される１ｂａｓｅの編集画像によれば、顧客は全体の印象を把握することができ、４ｂａｓｅの編集画像によれば、構成される画素数が多いので全体を拡大表示しつつ特に細かい文字の確認ができる。また、１ｂａｓｅの編集画像は、プリントアウトしたときには十分な解像度とはならないので、ダウンロードしてポストカード等にプリントアウトしても好適な画質を得ることができず、４ｂａｓｅの編集画像をダウンロードしてもプリントアウトしても、プリントアウトしたものには「Ｓａｍｐｌｅ」の表示が付いてしまう。
【００６９】
さらに、顧客が部分表示に変更するように表示条件指定欄２２２ａで画像表示の「部分表示」と画像の画素数の例えば「大」とを選択し画面更新ボタン２２２ｂをクリックすると、管理手段２１がこれを受け付け、画面情報生成手段２２は表示条件変更の要求により（Ｓ３０９）、表示条件を部分表示（Ｓ３０２）と４ｂａｓｅ（Ｓ３０３）編集画像表示枠２２１ａに画素数が４ｂａｓｅ編集画像の予め設定された一部分を表示するように生成し、ユーザ端末へ送信する（Ｓ３１０）。いうまでもないが画素数「小」が選択されれば、画素数が１ｂａｓｅ編集画像の予め設定された一部分を表示するように生成することになる。また、顧客が所望の方向の画像スクロールボタン２２１ｈをクリックすることにより第１の実施の形態と同様に校正画面２２２を生成し（Ｓ３１２、Ｓ３１３）、ユーザ端末３の表示画面には、第１の実施の形態での説明と同様に表示される。この場合４ｂａｓｅの画像の４分の１すなわち１ｂａｓｅの画像を１ｂａｓｅの編集画像表示枠２２１に表示するので、好適な画質となるため細かい文字などの確認も容易になる。
【００７０】
またさらに、顧客が表示条件に変更するように表示条件指定欄２２２ａで所望の表示条件を選択し画面更新ボタン２２２ｂをクリックすると、編集画像の表示を変更することができる。
【００７１】
以上、ポストカードの大きさにプリントアウトすることを目的とする場合の本発明の所定画素数を４ｂａｓｅとして説明したが、一例でありこれに限るものではない。また、プリントアウトする目的の大きさによっても所定画素数は異なる。言い換えれば、所定画素数はプリントアウトする場合に十分な画質となる解像度が得られる画素数をいう。
【００７２】
また、上述の説明では、全体表示と部分表示との選択と編集画像を構成する画素数との組み合わせを選択するようにしたが、校正画面２２２で全体表示と部分表示の選択を行うようにして、全体表示が選択された場合には、画面情報生成手段２２による画面の生成を図１３のＳ３０８からＳ３０９のように行い、部分表示が選択された場合には、図１３のＳ３１０において４ｂａｓｅの編集画像の一部分を表示するように生成し、以下Ｓ３１１からＳ３１３のように行うことにすれば、１ｂａｓｅで全体が表示される編集画像により顧客は全体の印象を把握すし、４ｂａｓｅの編集画像の一部分を表示することより細かい文字などの確認も容易になる。
【００７３】
【発明の効果】
以上説明したように本発明によれば、顧客側の端末に表示する画像を条件により変化させることにより、顧客がデザインの確認が確実にでき、且つ、顧客がダウンロードしプリントアウトしてもデザイン作業により作成されたそのままの画像を得られないようにすることが可能な画像編集サービスシステム及び画面情報生成方法の提供が可能である。
【００７４】
したがって、顧客は出力センター等に編集画像を用いたプリントアウトを注文することになるので、本画像編集サービスのビジネスとしての旨みが損なわれることがない。
【図面の簡単な説明】
【図１】本発明にかかる画像編集サービスシステムの一実施の形態を示す構成図である。
【図２】当該画像編集サービスシステムのサーバーの制御構成を示す機能ブロック図である。
【図３】当該画像編集サービスシステムで行う画像編集サービスの工程を示すフローチャート。
【図４】当該画像編集システムを構成するサーバー及び各端末間の処理・通信の流れを説明する説明図である。
【図５】サーバーのデータベースに備える受発注管理テーブル２３ａの構造を示す図である。
【図６】図１に示す画像編集サービスシステムの顧客端末において表示される編集画像の校正にかかわる画面の一例を表す図である。
【図７】図１に示す画像編集サービスシステムの顧客端末において表示される編集画像の校正にかかわる画面の一例を表す図である。
【図８】当該画像編集サービスシステムで行う画面情報生成方法の工程の一例を示すフローチャートである。
【図９】図６に示す画面において表示される画像の一例を表す図である。
【図１０】図６に示す画面において表示される画像の一例を表す図である。
【図１１】図７に示す画面において表示される画像の一例を表す図である。
【図１２】図１に示す画像編集サービスシステムの顧客端末において表示される編集画像の校正にかかわる画面の一例を表す図である。
【図１３】当該画像編集サービスシステムで行う画面情報生成方法の工程の一例を示すフローチャートである。
【符号の説明】
１  ネットワーク
２  サーバー
２１  管理手段
２２  画面情報生成手段
２３  データベース
２５  メール作成手段
２６  インターフェイスＩ／Ｆ
３  顧客端末
４  作業者端末
５  管理者端末
【図１】
2004304450.tif 000003
【図２】
2004304450.tif 000004
【図３】
2004304450.tif 000005
【図４】
2004304450.tif 000006
【図５】
2004304450.tif 000007
【図６】
2004304450.tif 000008
【図７】
2004304450.tif 000009
【図８】
2004304450.tif 000010
【図９】
2004304450.tif 000011
【図１０】
2004304450.tif 000012
【図１１】
2004304450.tif 000013
【図１２】
2004304450.tif 000014
【図１３】
2004304450.tif 000015